(57)【要約】【課題】より好適に端末ガイドを手前側に移動させるエスカレータ用治具を提供することである。【解決手段】無端状の移動手摺を案内する移動手摺案内レールの端部に設けられ移動手摺の張力に抗して設けられる端末ガイドが移動手摺の幅方向に沿って磨耗し、移動手摺のうち磨耗した端末ガイドに対応する部分が他の部分に比べて前記幅方向にずれてしまった場合に、端末ガイドを前記幅方向の手前側に移動させるためのエスカレータ用治具５０であって、一方端側に設けられ、端末ガイドのうち前記幅方向の奥側の部位に係合する係合部５６と、他方端側に設けられ、端末ガイドを前記幅方向の手前側に移動させるために外力が与えられる第１延伸部５２と、を備える。【選択図】図６
2011116542.tif 000002
【特許請求の範囲】
【請求項１】
無端状の移動手摺を案内する移動手摺案内レールの端部に設けられ移動手摺の張力に抗して設けられる端末ガイドが移動手摺の幅方向に沿って磨耗し、移動手摺のうち磨耗した端末ガイドに対応する部分が他の部分に比べて前記幅方向にずれてしまった場合に、端末ガイドを前記幅方向の手前側に移動させるためのエスカレータ用治具であって、
一方端側に設けられ、端末ガイドのうち前記幅方向の奥側の部位に係合する係合部と、
他方端側に設けられ、端末ガイドを前記幅方向の手前側に移動させるために外力が与えられる外力受け部と、
を備えることを特徴とするエスカレータ用治具。
【請求項２】
請求項１に記載のエスカレータ用治具において、
他方端側に設けられ、端末ガイドを前記幅方向の奥側に押し付けるために外力が与えられる押し付け部を備えることを特徴とするエスカレータ用治具。
【請求項３】
請求項２に記載のエスカレータ用治具において、
押し付け部は、端末ガイドのうち前記幅方向の手前側端面の外形に沿った凹部を有することを特徴とするエスカレータ用治具。
【請求項４】
請求項１に記載のエスカレータ用治具において、
係合部は、端末ガイドのうち前記幅方向の奥側端面に線接触で係合する外形を有することを特徴とするエスカレータ用治具。
【請求項５】
請求項１に記載のエスカレータ用治具において、
係合部は、端末ガイドのうち前記幅方向の奥側端面に点接触で係合する外形を有することを特徴とするエスカレータ用治具。
【請求項６】
請求項１に記載のエスカレータ用治具において、
合成繊維を含んで構成されるナイロンガイドである端末ガイドを手前側に移動させることを特徴とするエスカレータ用治具。
【請求項７】
請求項１に記載のエスカレータ用治具において、
係合部は、ナイロンガイドのうち前記幅方向の奥側端面の外形に沿った凹部を有することを特徴とするエスカレータ用治具。
【発明の詳細な説明】
【技術分野】
【０００１】
本発明は、エスカレータ用治具に係り、特に、移動手摺を案内する移動手摺案内レールの端部に設けられる端末ガイドを手前側に移動させるエスカレータ用治具に関する。
【背景技術】
【０００２】
現在、商業施設等といった種々の場所においてエスカレータが設置されている。エスカレータには、無端状の移動手摺を案内する移動手摺案内レールが設けられている。さらに、その移動手摺案内レールの端部には、移動手摺の張力に抗して設けられる端末ガイドが取り付けられている。そして、エスカレータを長時間使用すると、移動手摺の摺動によって端末ガイドが幅方向に磨耗する。このように、端末ガイドがその幅方向に磨耗してしまうと、無端状の移動手摺のうち磨耗した端末ガイドに対応する部分が他の部分に比べて幅方向にずれてしまうこととなり、その状態でさらにエスカレータの使用を続けてしまうと、端末ガイドの周辺に位置する駆動ローラ等が傷んでしまうといった問題がある。
【０００３】
本発明に関連する技術として、例えば、特許文献１には、乗客コンベアの移動手摺の張力調整方法として、無端状に連結されて循環移動する踏み段と、上記踏み段を挟むように立設された一対の欄干と、上記欄干の外周縁部および下部側に設けられ、該欄干の下部側に設けられた折り返し側の一部に分断部を有する手摺レールと、一端が上記分断部に臨む上記手摺レールの一方の端部に固定され、かつ他端が固定位置を長さ方向に移動可能に上記分断部に臨む上記手摺レールの他方の端部に締着固定されて該手摺レールの分断部に架設され、該他端の締着を緩めて該固定位置を移動させることで架設長さが調整される可撓性ガイドと、無端状に形成され、上記手摺レールおよび可撓性ガイドに案内されて循環移動する移動手摺と、上記欄干の下部と上記踏み段との隙間を塞口するインナーデッキボードと、を備える構成が開示されている。そして、上記可撓性ガイドの上部側の上記インナーデッキボードの部位を取り外す工程と、上記可撓性ガイドの他端と上記手摺レールとの締着を緩める工程と、供給される作動媒体の圧力がピストンロッドによる押圧力として出力される押圧手段を、該ピストンロッドが上記可撓性ガイドの背面を略垂直に押圧するように上記乗客コンベアの固定部に固定する工程を備える構成が開示されている。さらに、上記押圧手段に所定圧の上記作動媒体を供給して上記ピストンロッドにより上記可撓性ガイドを介して上記移動手摺を押圧し、該移動手摺に所定の張力を発生させる工程と、上記可撓性ガイドの他端と上記手摺レールとを締着固定する工程と、上記作動媒体の供給を停止して上記押圧手段を取り外し、上記インナーデッキボードを取り付ける工程と、を備える構成が開示されている。
【先行技術文献】
【特許文献】
【０００４】
【特許文献１】特開２００８−２３９２６９号公報
【発明の概要】
【発明が解決しようとする課題】
【０００５】
ところで、上述したように、エスカレータの長期間の使用により、端末ガイドが磨耗することで移動手摺の一部がずれてしまった場合に、端末ガイドの近傍に配置される駆動ローラ等が傷んでしまうことがある。そのため、磨耗した端末ガイドを移動手摺の張力に抗して手前側に移動させることで、移動手摺のずれを修正する必要があるが、エスカレータの設置場所によっては、端末ガイドを手前側に移動させるために必要な作業スペースが狭く、作業効率が悪くなってしまうことがある。
【０００６】
本発明の目的は、より好適に端末ガイドを手前側に移動させるエスカレータ用治具を提供することである。
【課題を解決するための手段】
【０００７】
本発明に係るエスカレータ用治具は、無端状の移動手摺を案内する移動手摺案内レールの端部に設けられ移動手摺の張力に抗して設けられる端末ガイドが移動手摺の幅方向に沿って磨耗し、移動手摺のうち磨耗した端末ガイドに対応する部分が他の部分に比べて前記幅方向にずれてしまった場合に、端末ガイドを前記幅方向の手前側に移動させるためのエスカレータ用治具であって、一方端側に設けられ、端末ガイドのうち前記幅方向の奥側の部位に係合する係合部と、他方端側に設けられ、端末ガイドを前記幅方向の手前側に移動させるために外力が与えられる外力受け部と、を備えることを特徴とする。
【０００８】
また、本発明に係るエスカレータ用治具において、他方端側に設けられ、端末ガイドを前記幅方向の奥側に押し付けるために外力が与えられる押し付け部を備えることが好ましい。
【０００９】
また、本発明に係るエスカレータ用治具において、押し付け部は、端末ガイドのうち前記幅方向の手前側端面の外形に沿った凹部を有することが好ましい。
【００１０】
また、本発明に係るエスカレータ用治具において、係合部は、端末ガイドのうち前記幅方向の奥側端面に線接触で係合する外形を有することが好ましい。
【００１１】
また、本発明に係るエスカレータ用治具において、係合部は、端末ガイドのうち前記幅方向の奥側端面に点接触で係合する外形を有することが好ましい。
【００１２】
また、本発明に係るエスカレータ用治具において、合成繊維を含んで構成されるナイロンガイドである端末ガイドを手前側に移動させることが好ましい。
【００１３】
また、本発明に係るエスカレータ用治具において、係合部は、ナイロンガイドのうち前記幅方向の奥側端面の外形に沿った凹部を有することが好ましい。
【発明の効果】
【００１４】
上記構成のエスカレータ用治具によれば、端末ガイドのうち、移動手摺の幅方向の奥側の部位に係合部を係合させ、さらに、外力受け部に外力を与えることで、端末ガイドを上記幅方向の手前側に移動させることができる。これにより、より好適に端末ガイドを手前側に移動させることができる。
【００１５】
上記構成の押し付け部を有するエスカレータ用治具によれば、端末ガイドを手前側に移動させる機能と奥側に移動させる機能といった２つの機能をあわせもたせることができる。
【００１６】
上記構成の端末ガイドの奥側端面に線接触で係合する係合部を有するエスカレータ用治具によれば、端末ガイドの奥側端面との接触面積が少ないため、外力が与えられたときに滑って係合しなくなってしまうことを抑制することができる。
【００１７】
上記構成の端末ガイドの奥側端面に点接触で係合する係合部を有するエスカレータ用治具によれば、端末ガイドの奥側端面との接触面積がより少ないため、外力が与えられたときに滑って係合しなくなってしまうことをより好適に抑制することができる。
【００１８】
上記構成の端末ガイドのうち幅方向の手前側端面の外形に沿った凹部を有する押し付け部を備えるエスカレータ用治具によれば、押し付け部の凹部と端末ガイドの手前側端面とがより好適に係合する。したがって、幅方向の奥側方向に沿った外力を与えることでより好適に端末ガイドを奥側に移動させることができる。
【００１９】
上記構成のナイロンガイドの奥側端面の外形に沿った凹部を有する係合部を備えるエスカレータ用治具によれば、係合部とナイロンガイドの奥側端面とがより好適に係合する。したがって、外力受け部に外力を与えることでより好適にナイロンガイドを手前側に移動させることができる。
【図面の簡単な説明】
【００２０】
【図１】本発明の実施の形態において、エスカレータの構成を示す図である。
【図２】図１において移動手摺の進行方向に垂直な断面図、すなわちＡ−Ａ線断面図に相当する移動手摺と支え部の関係を示している。
【図３】図１において、移動手摺の進行方向に垂直な断面図、すなわち、Ｂ−Ｂ線断面図に相当する駆動ローラと加圧ローラとの関係を示したものである。
【図４】図１における一点鎖線Ｅの領域の拡大図である。
【図５】図４において駆動ローラと加圧ローラとを取り除いた状態の斜視図である。
【図６】本発明の実施の形態において、エスカレータ用治具を示す図である。
【図７】本発明の実施の形態において、ナイロンガイドを手前側に移動させるためにエスカレータ用治具を用いている様子を示す図である。
【図８】本発明の実施の形態において、エスカレータ用治具の第１変形例を示す図である。
【図９】本発明の実施の形態において、エスカレータ用治具の第２変形例を示す図である。
【発明を実施するための形態】
【００２１】
以下に、本発明に係る実施の形態について添付図面を参照しながら詳細に説明する。また、以下では、全ての図面において同様の要素には同一の符号を付し、重複する説明を省略する。また、本文中の説明においては、必要に応じそれ以前に述べた符号を用いるものとする。なお、以下では、第２延伸部の係合部は、例えば、丸みを帯びた奥側端面に沿う凹部を有するものとして説明したが、丸みを帯びた奥側端面に限定されず、その他の形状の奥側端面、例えば、平坦な奥側端面である場合には、平坦な奥側端面に沿った凹部を設けてもよく、また、平坦な奥側端面である場合には、特別に凹部を設けずに第２延伸部の手前側平面部を係合部としてもよい。
【００２２】
図１は、エスカレータ１０の構成を示す図である。エスカレータ１０は、高低差のある乗場床６と降場床８との間で乗客４を移動させる装置である。エスカレータ１０は、乗客４が乗るステップ１２と、それぞれのステップ１２が連結されるステップチェーン１４と、ステップチェーン１４を駆動する主駆動装置１６と、移動手摺７０と支え部３０とを含む欄干部２０と、ナイロンガイド２００と、移動手摺７０を駆動する手摺駆動装置１４０とを含んで構成される。手摺駆動装置１４０は、駆動ローラ１００と加圧ローラ１２０とを含んで構成されるが詳細な説明は後述する。
【００２３】
ステップ１２は、乗客４が一人または二人乗れる程度の大きさを有する。エスカレータ１０が運行する際には、複数のステップ１２は、地面に対して水平な状態を保ちつつ移動する。また、ステップ１２にはスリップ防止のための溝が複数設けられている。
【００２４】
ステップチェーン１４は、図示されていない適当な軸部材を介して、それぞれのステップ１２を連結し、主駆動装置１６の駆動力をそれぞれのステップ１２に伝達するものである。また、ステップチェーン１４は、エスカレータ１０のステップ１２の左右両側に１本ずつ配置されている。
【００２５】
主駆動装置１６は、エスカレータ１０を駆動する駆動力を出力する装置で、例えば、電動機と減速歯車等から構成される。主駆動装置１６により出力された駆動力は、図示されていない駆動伝達手段を介してステップチェーン１４及び図示されていない移動手摺チェーンを介して駆動ローラ１００に伝達される。
【００２６】
欄干部２０は、無端状の移動手摺７０と、ステップ１２が移動する際に乗客４の体がエスカレータ１０の外に出ることを防止する支え部３０から構成されている。移動手摺７０は、乗客４が手を添え、または掴まる部分であり、支え部３０は移動手摺７０を案内する機能を有する。また、支え部３０は、移動手摺案内レール４２と、内側板３２で構成される。なお、移動手摺案内レール４２は、駆動ローラ１００の両端近傍において途切れた端部を有している。
【００２７】
ここで、移動手摺７０と支え部３０との関係の構成を詳細に説明する。図２は、図１において移動手摺７０の進行方向に垂直な断面図、すなわちＡ−Ａ線断面図に相当する移動手摺７０と支え部３０の関係を示している。移動手摺７０は、芯地である鋼芯６４と、その周囲を被覆したキャンバス積層部６８と、さらに、その外側に配置された表層部６６とを含んで構成されている。表層部６６の材料としては、手触りが良いもの、例えば生ゴム等を用いることができる。キャンバス積層部６８は、適当な強度を確保するため、例えばキャンバス地を用いることができる。
【００２８】
移動手摺案内レール４２は、略Ｃ字状断面の移動手摺７０の内側に配置され、移動手摺７０の内側面形状とほぼ同じ形状の外形を有する。さらに、移動手摺７０の内側面に移動手摺案内レール４２の外周面が接触し、これにより移動手摺７０が摺動するときに進路を外すことがないように案内される。
【００２９】
内側板３２は、エスカレータ１０の両側面を構成することになるので、装飾的な観点や適当な強度を確保するため、例えば、ガラスパネルやステンレスを素材として構成される。なお、移動手摺案内レール４２と内側板３２とは、ボルト等の接続部材を用いて接続されている。
【００３０】
再び図１に戻って、手摺駆動装置１４０について説明する。手摺駆動装置１４０は、上記のように移動手摺７０を駆動する機能を有し、駆動ローラ１００と加圧ローラ１２０とを含んで構成される。
【００３１】
手摺駆動装置１４０においては、移動手摺７０を挟んで複数の駆動ローラ１００に対向する位置に複数の加圧ローラ１２０が配置される。これら複数の加圧ローラ１２０を構成する１つの加圧ローラ１２０は、複数の駆動ローラ１００を構成する１つの駆動ローラ１００と対を成すように並んでいる。駆動ローラ１００は、主駆動装置１６より出力された駆動力により駆動され、また、加圧ローラ１２０は、対応する駆動ローラ１００に向かって、移動手摺７０を図示していない加圧手段によって押し付け、駆動ローラ１００の駆動に従って回転する。
【００３２】
移動手摺７０は、無端状に配置され、移動手摺７０の帰路側において、駆動ローラ１００が矢印Ｄ方向に回転することにより、加圧ローラ１２０との間に挟みこまれた移動手摺７０が図１の矢印Ｃ方向に移動する。
【００３３】
図３は、図１において、移動手摺７０の進行方向に垂直な断面図、すなわち、Ｂ−Ｂ線断面図に相当する駆動ローラ１００と加圧ローラ１２０との関係を示したものである。駆動ローラ１００及び加圧ローラ１２０は、例えば、材料がウレタン等で構成されている。駆動ローラ１００は、移動手摺７０に沿う形で配置され、加圧ローラ１２０は、図３でＷと示される移動手摺７０の幅方向において、移動手摺７０を挟んで駆動ローラ１００に対向して配置される。
【００３４】
図４は、図１における一点鎖線Ｅの領域の拡大図である。図５は、図４において駆動ローラ１００と加圧ローラ１２０とを取り除いた状態の斜視図である。ナイロンガイド２００は、駆動ローラ１００と移動手摺案内レール４２の端部４２ａとの間に形成された空隙７７において移動手摺案内レール４２の端部４２ａに取り付けられる。なお、移動手摺案内レール４２の他方側の端部にも同様のナイロンガイド２００（図１参照）が取り付けられているが、ここでは図４，５を用いて、一方側の端部４２ａに設けられるナイロンガイド２００について説明する。
【００３５】
ナイロンガイド２００は、上面のほぼ全域にわたって平坦化された平面部２０２と、ナイロンガイド２００を移動手摺案内レール４２に取り付けるための取付部２０６とを含んで構成される。平面部２０２は、移動手摺案内レール４２の幅とほぼ同じ幅Ｘを有し、移動手摺案内レール４２の両端部とほぼ同じ高さＹを有する箱型形状である。平面部２０２は、駆動ローラ１００と移動手摺案内レール４２の端部４２ａとの間の空隙の長さＲよりも少しだけ短い奥行きの長さＺである。なお、平面部２０２の表側端面２０３と裏側端面２０４とはそれぞれ丸みを帯びた端面である。
【００３６】
取付部２０６は、平面部２０２の上面の端部から移動手摺案内レール４２に向けて延伸する部材である。また、取付部２０６の側面を構成する手前側端面２０５と奥側端面２０９とはそれぞれ少し丸みを帯びた端面である。そして、移動手摺案内レール４２に設けられたネジ穴に対して、孔部２０７を介してボルト２０８を締め付けることでナイロンガイド２００を移動手摺案内レール４２に取り付けることができる。また、孔部２０７は、幅Ｘ方向に沿った径が長さＺ方向に沿った径に比べて大きい略楕円形状であり、ボルト２０８を緩めて平面部２０２を幅Ｘ方向（換言すれば、移動手摺７０の幅Ｗ方向）に沿ってスライドさせることが可能である。ここで、ナイロンガイド２００は、適当な強度を確保するため合成繊維を含んで構成される。なお、ナイロンガイド２００およびナイロンガイド２００の上部に設けられるボルト２０８をあわせて端末ガイドと呼ぶこととする。
【００３７】
ここで、ナイロンガイド２００は、無端状の移動手摺７０の張力に抗して移動手摺案内レール４２に取り付けられており、移動手摺７０がナイロンガイド２００に対して摺動するため、例えば移動手摺７０の内側面とナイロンガイド２００の表側端面２０３との摩擦によって、ナイロンガイド２００の表側端面２０３が削られることがある。したがって、このようなナイロンガイド２００の表側端面２０３が削られた状態では、無端状の移動手摺７０のうち、ナイロンガイド２００の表側端面２０３に対応する部分が他の部分とずれて奥側に位置し、移動手摺７０が駆動ローラ１００に対して摺動するため、駆動ローラ１００が傷んでしまうことがある。
【００３８】
図６は、エスカレータ用治具５０を示す図である。エスカレータ用治具５０は、上記のようにナイロンガイド２００の表側端面２０３が削られてしまった場合に、ナイロンガイド２００を手前側に移動させるための治具である。エスカレータ用治具５０は、本体部５４と、第１延伸部５２と、係合部５６を有する第２延伸部５５とを含んで構成される。
【００３９】
本体部５４は、ナイロンガイド２００の幅Ｘの少なくとも２倍以上の長さである長さＬ1を有し、断面形状が正方形（断面積Ｓ＝Ｌ0×Ｌ0）である棒部材である。本体部５４は、適当な強度が必要であることから、例えば、ステンレスを含んで構成される。
【００４０】
第１延伸部５２は、本体部５４の一方側の端部から矢印Ｊ方向に延伸し、平面部２０２の高さＹよりも３倍以上の長さである長さＬ2を有する棒部材である。ここで、第１延伸部５２の断面形状は、本体部５４の断面形状と同じであり正方形（断面積Ｓ＝Ｌ0×Ｌ0）である。第１延伸部５２には、金槌９（図７参照）等によって外力を与えるための平板部５２ａを有している。
【００４１】
第２延伸部５５は、本体部５４の他方側の端部から矢印Ｋ方向に延伸し、平面部２０２の高さＹよりも３倍以上の長さである長さＬ3を有する棒部材である。ここで、第２延伸部５５の断面形状は、本体部５４の断面形状と同じであり正方形（断面積Ｓ＝Ｌ0×Ｌ0）である。そして、第２延伸部５５は、ナイロンガイド２００の奥側端面２０９に係合する係合部５６を有している。係合部５６は、第２延伸部５５のうち、手前側（図７参照）に設けられ、ナイロンガイド２００の奥側端面２０９の外形に沿った形状の凹部を有している。
【００４２】
上記構成のエスカレータ用治具５０の作用について図１〜図７を用いて説明する。図７は、ナイロンガイド２００を手前側に移動させるためにエスカレータ用治具５０を用いている様子を示す図である。エスカレータ１０を長時間使用していると、移動手摺７０のナイロンガイド２００に対する摺動により、ナイロンガイド２００の表側端面２０３が削られる。そして、ナイロンガイド２００の表側端面２０３が削られた分だけ、移動手摺７０が奥側にずれてしまう。
【００４３】
ここで、エスカレータ１０の保守作業員は、係合部５６をナイロンガイド２００の奥側端面２０９に係合させる。そして、ナイロンガイド２００の上部に設けられるボルト２０８を緩めた後に、金槌９等を用いて平板部５２ａを必要な力で叩くことで、第１延伸部５２に手前側に向かう外力を与える。これにより、ナイロンガイド２００を手前側に移動させることができる。したがって、エスカレータ用治具５０によれば、エスカレータ１０が、例えばナイロンガイド２００の奥側と建物壁等の隙間が小さく、保守を行うための作業スペースが狭くなってしまうような所に設置される場合であっても、好適にナイロンガイド２００を手前側に移動させることができる。
【００４４】
次に、エスカレータ用治具５０の第１変形例であるエスカレータ用治具５１について説明する。図８は、エスカレータ用治具５１を示す図である。エスカレータ用治具５１とエスカレータ用治具５０との相違は、押し付け部５３のみであるため、その相違点を中心に説明する。
【００４５】
押し付け部５３は、本体部５４の一方側の端部から矢印Ｐ方向（換言すれば、本体部５４の長手方向）に向かって延伸する棒部材である。ここで、押し付け部５３は、本体部５４の断面形状と同じであり、正方形（断面積Ｓ＝Ｌ0×Ｌ0）である。押し付け部５３の先端部５３ａは、ナイロンガイド２００の手前側端面２０５の外形に沿った形状の凹部を有している。
【００４６】
続いて、エスカレータ用治具５１の作用について、図８等を用いて説明する。エスカレータ用治具５１もエスカレータ用治具５０と同様に係合部５６と第１延伸部５２とを有するため、ナイロンガイド２００の表側端面２０３が削れてしまった場合に、ナイロンガイド２００を好適に手前側に移動させることができる。ここで、保守作業員がナイロンガイド２００を手前側移動する場合において、例えば、ナイロンガイド２００を手前側に移動させすぎてしまった場合に、ナイロンガイド２００を逆に奥側に移動させて微調整したい場合もある。この場合に、エスカレータ用治具５１によれば、押し付け部５３の先端部５３ａをナイロンガイド２００の手前側端面２０５に嵌め込み、第２延伸部５５の平板部５５ａを金槌９（図７参照）で叩くことで（換言すれば、奥側方向への外力を与えることで）、ナイロンガイド２００を奥側に移動させることも可能であるため、ナイロンガイド２００の位置を微調整することができる。
【００４７】
次に、エスカレータ用治具５０の第２変形例であるエスカレータ用治具６０について説明する。図９（ａ）は、エスカレータ用治具６０の構成を示す図である。図９（ｂ）は、矢印Ｇ方向からエスカレータ用治具６０を見た様子を示す図である。エスカレータ用治具６０とエスカレータ用治具５０との相違は、係合部６６を有する第２延伸部６５のみであるため、その相違点を中心に説明する。
【００４８】
第２延伸部６５は、本体部５４の他方側の端部から矢印Ｑ方向に沿って延伸し、さらに先端部に向かって先細りする係合部６６を有する部材である。したがって、第２延伸部６５の係合部６６は、ナイロンガイド２００の奥側端面２０９に線接触で係合することができる。
【００４９】
続いて、エスカレータ用治具６０の作用について、図９（ａ）（ｂ）等を用いて説明する。エスカレータ１０を長時間使用していると、上述のように、ナイロンガイド２００の表側端面２０３が削られるため、移動手摺７０が奥側にずれてしまうことがある。
【００５０】
ここで、エスカレータ１０の保守作業員は、係合部６６をナイロンガイド２００の奥側端面２０９に線接触で係合させる。さらに、ナイロンガイド２００の上部に設けられるボルト２０８を緩めた後に、金槌９（図７参照）を用いて平板部５２ａを必要な力で叩くことで、第１延伸部５２に対して手前側方向に向かう外力を与える。これにより、ナイロンガイド２００を手前側に移動させることができる。したがって、エスカレータ用治具６０によれば、エスカレータ１０が例えばナイロンガイド２００の奥側と建物壁等の隙間が小さく、作業スペースが狭くなってしまうような所に設置される場合であっても、好適にナイロンガイド２００を手前側に移動させることができる。さらに、エスカレータ用治具６０の係合部６６は、ナイロンガイド２００の奥側端面２０９と線接触しているため、金槌９で平板部５２ａを叩いた場合であっても面接触している場合に比べてすべりにくく、より好適にナイロンガイド２００を手前側に移動させることができる。
【００５１】
なお、上記エスカレータ用治具６０の係合部６６は、図９（ｂ）に示されるようにナイロンガイド２００の奥側端面２０９と線接触するような先細り形状を有するものとして説明したが、図９（ｃ）に示されるようにナイロンガイド２００の奥側端面２０９と点接触するような先細り形状の係合部６７を有するものであってもよい。この場合、係合部６７とナイロンガイド２００の奥側端面２０９との接触面積はさらに少なくなるため、金槌９で平板部５２ａを叩いた場合であっても面接触している場合に比べてすべりにくく、さらに好適にナイロンガイド２００を手前側に移動させることができる。
【符号の説明】
【００５２】
４  乗客、６  乗場床、８  降場床、９  金槌、１０  エスカレータ、１２  ステップ、１４  ステップチェーン、１６  主駆動装置、２０  欄干部、３０  支え部、３２  内側板、４２  移動手摺案内レール、４２ａ  端部、５０，５１，６０  エスカレータ用治具、５２  延伸部、５２ａ，５５ａ  平板部、５３  押し付け部、５３ａ  先端部、５４  本体部、５５  延伸部、５６,６６，６７  係合部、６４  鋼芯、６５  延伸部、６６  表層部、６８  キャンバス積層部、７０  移動手摺、７７  空隙、１００  駆動ローラ、１２０  加圧ローラ、１４０  手摺駆動装置、２００  ナイロンガイド、２０２  平面部、２０３  表側端面、２０４  裏側端面、２０５  手前側端面、２０６  取付部、２０７  孔部、２０８  ボルト、２０９  奥側端面。
【図１】
2011116542.tif 000003
【図２】
2011116542.tif 000004
【図３】
2011116542.tif 000005
【図４】
2011116542.tif 000006
【図５】
2011116542.tif 000007
【図６】
2011116542.tif 000008
【図７】
2011116542.tif 000009
【図８】
2011116542.tif 000010
【図９】
2011116542.tif 000011